(57)【要約】【課題】プリント配線板の実装面積の縮小化やコストの増大をすることなく絶縁性能を確保することのできる放電灯点灯装置及びそれを用いた照明器具を提供する。【解決手段】プリント配線板１と、絶縁性を有する材料から成りプリント配線板１の裏側に配設される第一の絶縁シート２と、絶縁性を有する材料から成りプリント配線板１の表側に配設される第二の絶縁シート３とを備え、絶縁性を有する材料から成り長手方向の長さが第一の絶縁シート２の長手方向よりも短く且つプリント配線板１の長手方向の長さと略等しい第三の絶縁シート４を第一の絶縁シート２とプリント配線板１との間に設け、第三の絶縁シート４の短手方向に沿った両側縁に、プリント配線板１の短手方向に沿った両側縁に沿って立ち上がる一対の立ち上がり片４２を設けた。【選択図】図１
2008270165.tif 000002
【特許請求の範囲】
【請求項１】
放電灯へ高周波電力を供給するインバータ回路を構成する回路部品が実装される略矩形状のプリント配線板と、絶縁性を有する材料から成りプリント配線板の裏側に配設される第一の絶縁シートと、絶縁性を有する材料から成りプリント配線板の表側に配設される第二の絶縁シートとを備え、第一の絶縁シートは、長手方向の長さがプリント配線板の長手方向の長さよりも長い略矩形状の主板及び主板の長手方向に沿った両側縁からプリント配線板の長手方向に沿った両側縁に沿って立ち上がる一対の脚片から成り、第二の絶縁シートは、長手方向の長さがプリント配線板の長手方向の長さよりも短い略矩形状の天板及び天板の長手方向に沿った両側縁からプリント配線板の長手方向に沿った両側縁に沿って垂下した一対の側片から成り、プリント配線板と第一の絶縁シートとの間には、絶縁性を有する材料から成り長手方向の長さがプリント配線板の長手方向の長さと略等しい略矩形状の底板を有する第三の絶縁シートが設けられ、第三の絶縁シートには、その短手方向に沿った両側縁からプリント配線板の短手方向に沿った両側縁に沿って立ち上がる一対の立ち上がり片が設けられたことを特徴とする放電灯点灯装置。
【請求項２】
前記第一の絶縁シートの主板の長手方向両端部には、第三の絶縁シートの立ち上がり片と対向するようにして立ち上がる一対の突片が設けられ、該突片間の距離を第三の絶縁シートの長手方向の長さと略同一としたことを特徴とする請求項１記載の放電灯点灯装置。
【請求項３】
前記プリント配線板及び第三の絶縁シートは、それぞれ互いの長手方向への移動を制限するための制限手段を備えたことを特徴とする請求項１又は２記載の放電灯点灯装置。
【請求項４】
前記第一の絶縁シート及び第二の絶縁シートは、それぞれ互いを結合するための結合手段を備えたことを特徴とする請求項１乃至３の何れか１項に記載の放電灯点灯装置。
【請求項５】
前記第一の絶縁シート及び第三の絶縁シートの少なくとも何れか一方には、照明器具の器具本体に取り付けるための取付手段が設けられたことを特徴とする請求項１乃至４の何れか１項に記載の放電灯点灯装置。
【請求項６】
前記第一の絶縁シート及び第二の絶縁シートの少なくとも何れか一方には、照明器具の器具本体に固定するための固定手段が設けられたことを特徴とする請求項１乃至５の何れか１項に記載の放電灯点灯装置。
【請求項７】
前記第一の絶縁シートと器具本体との間、及び第二の絶縁シートと器具本体との間には、放電灯と接続される電線及び電源と接続される電線が各々配設される隙間が設けられ、各隙間の間に第一の絶縁シート及び第二の絶縁シート及び第三の絶縁シートのうち少なくとも一部を介在させたことを特徴とする請求項１乃至６の何れか１項に記載の放電灯点灯装置。
【請求項８】
前記第一の絶縁シートには、器具本体と対向する側が窪むとともに、器具本体との間で放電灯と接続される電線及び電源と接続される電線が各々配設される複数の隙間を形成する複数の凹部が設けられ、各隙間の間に第一の絶縁シート及び第二の絶縁シート及び第三の絶縁シートのうち少なくとも一部を介在させたことを特徴とする請求項１乃至７の何れか１項に記載の放電灯点灯装置。
【請求項９】
前記第一の絶縁シート及び第三の絶縁シートの少なくとも何れか一方には、第一の絶縁シートと第三の絶縁シートとの間に隙間を設けるための複数の突部が設けられたことを特徴とする請求項１乃至８の何れか１項に記載の放電灯点灯装置。
【請求項１０】
前記第一の絶縁シート及び第三の絶縁シートの少なくとも何れか一方には、第一の絶縁シートと第三の絶縁シートとの間の空間を分割し且つ放電灯と接続される電線及び電源と接続される電線が各々配設される複数の隙間を形成する複数の突部が設けられ、各隙間の間に第一の絶縁シート及び第二の絶縁シート及び第三の絶縁シートのうち少なくとも一部を介在させたことを特徴とする請求項１乃至９の何れか１項に記載の放電灯点灯装置。
【請求項１１】
前記プリント配線板は、放電灯又は電源と接続される電線が接続される端子台をプリント配線板の長手方向両端部の少なくとも何れか一方に備え、立ち上がり片には、少なくとも端子台を除いた一部を埋める補助片が一体に形成されたことを特徴とする請求項１乃至１０の何れか１項に記載の放電灯点灯装置。
【請求項１２】
器具本体と、器具本体に取り付けられて放電灯が着脱自在に装着されるソケットと、ソケットを介して放電灯に電力を供給する請求項１乃至１１の何れか１項に記載の放電灯点灯装置とを備えたことを特徴とする照明器具。
【発明の詳細な説明】
【技術分野】
【０００１】
本発明は、放電灯点灯装置及びそれを用いた照明器具に関する。
【背景技術】
【０００２】
従来から、蛍光灯のような放電灯を点灯させるために放電灯点灯装置が提供されているが、このうち、一般にインバータ方式と呼ばれる放電灯点灯装置においては商用電源等の交流電源からの交流電圧を直流電圧に変換する直流変換部と、直流変換部の直流電圧出力を高周波電力に変換して放電灯に供給する高周波変換部とから成るインバータ回路が搭載されている。上記インバータ回路は、プリント配線板上に多数の電子部品が実装されて構成されているが、該プリント配線板に塵埃や水滴が付着するとショートや導通不良などの不具合が発生し、放電灯点灯装置が故障する虞がある。これを解決するために、プリント配線板を絶縁性材料から成る絶縁シートで覆う放電灯点灯装置が知られており、例えば特許文献１に開示されている。
【０００３】
以下、上記のような放電灯点灯装置の従来例について図面を用いて説明する。尚、以下の従来例の説明では、図１１（ａ）における上下を上下方向と定めるものとする。この従来例は、図１１（ｂ）に示すように、放電灯（図示せず）へ高周波電力を供給するインバータ回路の回路部品Ａが実装される略矩形状のプリント配線板１と、絶縁性を有する材料から成りプリント配線板１を下側から覆う第一の絶縁シート２と、絶縁性を有する材料から成りプリント配線板１を上側から覆う第二の絶縁シート３とから成る。
【０００４】
プリント配線板１は、紙フェノール等を材料として長尺の略矩形状に形成され、その上面には、上記回路部品Ａの他に速結端子構造を有する出力側端子台１０及び入力側端子台１１が長手方向両端部に各々実装されている。出力側端子台１０には、放電灯が着脱自在に装着されるソケット（図示せず）に接続された放電灯側の電線が接続され、入力側端子台１１には、商用電源（図示せず）に接続された電源側の電線が接続される。
【０００５】
第一の絶縁シート２は、絶縁性を有する合成樹脂成形品から成り、長手方向の長さがプリント配線板１の長手方向の長さと略等しい略矩形状の主板２０と、主板２０の長手方向に沿った両側縁からプリント配線板１の長手方向に沿った両側縁に沿って上方に向かって垂直に延設された一対の脚片２１とから構成される。また、主板２０には、その長手方向両端部をそれぞれプリント配線板１の長手方向両端部と当接するように上方に向かって切り起こして形成された一対の突片２００が設けられており、該突片２００によってプリント配線板１の長手方向における移動を制限している。尚、突片２００の上下方向の長さは、出力側端子台１０及び入力側端子台１１に設けられた電線用の挿通孔を覆わない程度の長さとなっている。
【０００６】
第二の絶縁シート３は、絶縁性を有する合成樹脂成形品から成り、長手方向の長さがプリント配線板１の長手方向の長さよりも短い略矩形状の天板３０と、天板３０の長手方向に沿った両側縁からプリント配線板１の長手方向に沿った両側縁に沿って下方に向かって垂直に延設された一対の側片３１とから構成される。而して、プリント配線板１を第一の絶縁シート２及び第二の絶縁シート３で覆うことにより、塵埃や水滴から保護するとともに、金属製のケース（図示せず）に収納して照明器具の器具本体（図示せず）に取り付ける際にケース及び器具本体に対して電気的に絶縁している。
【特許文献１】特開２００１−３５７９８６号公報
【発明の開示】
【発明が解決しようとする課題】
【０００７】
しかしながら、上記従来例では、突片２００が第一の絶縁シート２を切り起こして形成されているため、プリント配線板１の長手方向に沿った両側端部に対応する部位に隙間が生じ、プリント配線板１の長手方向に沿った両側端部における絶縁性能を充分に満足することができないという問題があった。そこで、これを解決するために、プリント配線板１の長手方向に沿った両側端部には回路部品Ａを実装しないようにすることが考えられるが、この場合、プリント配線板１の実装面積が小さくなるという問題があった。また、突片２００を脚片２１と一体に形成することで隙間を埋めることも考えられるが、この場合には第一の絶縁シート２の金型が複雑になるために製造が困難で且つコストが増大するという問題があった。
【０００８】
本発明は、上記の点に鑑みて為されたもので、プリント配線板の実装面積の縮小化やコストの増大をすることなく絶縁性能を確保することのできる放電灯点灯装置及びそれを用いた照明器具を提供することを目的とする。
【課題を解決するための手段】
【０００９】
請求項１の発明は、上記目的を達成するために、放電灯へ高周波電力を供給するインバータ回路を構成する回路部品が実装される略矩形状のプリント配線板と、絶縁性を有する材料から成りプリント配線板の裏側に配設される第一の絶縁シートと、絶縁性を有する材料から成りプリント配線板の表側に配設される第二の絶縁シートとを備え、第一の絶縁シートは、長手方向の長さがプリント配線板の長手方向の長さよりも長い略矩形状の主板及び主板の長手方向に沿った両側縁からプリント配線板の長手方向に沿った両側縁に沿って立ち上がる一対の脚片から成り、第二の絶縁シートは、長手方向の長さがプリント配線板の長手方向の長さよりも短い略矩形状の天板及び天板の長手方向に沿った両側縁からプリント配線板の長手方向に沿った両側縁に沿って垂下した一対の側片から成り、プリント配線板と第一の絶縁シートとの間には、絶縁性を有する材料から成り長手方向の長さがプリント配線板の長手方向の長さと略等しい略矩形状の底板を有する第三の絶縁シートが設けられ、第三の絶縁シートには、その短手方向に沿った両側縁からプリント配線板の短手方向に沿った両側縁に沿って立ち上がる一対の立ち上がり片が設けられたことを特徴とする。
【００１０】
請求項２の発明は、請求項１の発明において、第一の絶縁シートの主板の長手方向両端部には、第三の絶縁シートの立ち上がり片と対向するようにして立ち上がる一対の突片が設けられ、該突片間の距離を第三の絶縁シートの長手方向の長さと略同一としたことを特徴とする。
【００１１】
請求項３の発明は、請求項１又は２の発明において、プリント配線板及び第三の絶縁シートは、それぞれ互いの長手方向への移動を制限するための制限手段を備えたことを特徴とする。
【００１２】
請求項４の発明は、請求項１乃至３の何れか１項の発明において、第一の絶縁シート及び第二の絶縁シートは、それぞれ互いを結合するための結合手段を備えたことを特徴とする。
【００１３】
請求項５の発明は、請求項１乃至４の何れか１項の発明において、第一の絶縁シート及び第三の絶縁シートの少なくとも何れか一方には、照明器具の器具本体に取り付けるための取付手段が設けられたことを特徴とする。
【００１４】
請求項６の発明は、請求項１乃至５の何れか１項の発明において、第一の絶縁シート及び第二の絶縁シートの少なくとも何れか一方には、照明器具の器具本体に固定するための固定手段が設けられたことを特徴とする。
【００１５】
請求項７の発明は、請求項１乃至６の何れか１項の発明において、第一の絶縁シートと器具本体との間、及び第二の絶縁シートと器具本体との間には、放電灯と接続される電線及び電源と接続される電線が各々配設される隙間が設けられ、各隙間の間に第一の絶縁シート及び第二の絶縁シート及び第三の絶縁シートのうち少なくとも一部を介在させたことを特徴とする。
【００１６】
請求項８の発明は、請求項１乃至７の何れか１項の発明において、第一の絶縁シートには、器具本体と対向する側が窪むとともに、器具本体との間で放電灯と接続される電線及び電源と接続される電線が各々配設される複数の隙間を形成する複数の凹部が設けられ、各隙間の間に第一の絶縁シート及び第二の絶縁シート及び第三の絶縁シートのうち少なくとも一部を介在させたことを特徴とする。
【００１７】
請求項９の発明は、請求項１乃至８の何れか１項の発明において、第一の絶縁シート及び第三の絶縁シートの少なくとも何れか一方には、第一の絶縁シートと第三の絶縁シートとの間に隙間を設けるための複数の突部が設けられたことを特徴とする。
【００１８】
請求項１０の発明は、請求項１乃至９の何れか１項の発明において、第一の絶縁シート及び第三の絶縁シートの少なくとも何れか一方には、第一の絶縁シートと第三の絶縁シートとの間の空間を分割し且つ放電灯と接続される電線及び電源と接続される電線が各々配設される複数の隙間を形成する複数の突部が設けられ、各隙間の間に第一の絶縁シート及び第二の絶縁シート及び第三の絶縁シートのうち少なくとも一部を介在させたことを特徴とする。
【００１９】
請求項１１の発明は、請求項１乃至１０の何れか１項の発明において、プリント配線板は、放電灯又は電源と接続される電線が接続される端子台をプリント配線板の長手方向両端部の少なくとも何れか一方に備え、立ち上がり片には、少なくとも端子台を除いた一部を埋める補助片が一体に形成されたことを特徴とする。
【００２０】
請求項１２の発明は、器具本体と、器具本体に取り付けられて放電灯が着脱自在に装着されるソケットと、ソケットを介して放電灯に電力を供給する請求項１乃至１１の何れか１項に記載の放電灯点灯装置とを備えたことを特徴とする。
【発明の効果】
【００２１】
請求項１の発明によれば、長手方向の長さが第一の絶縁シートの長手方向よりも短く且つプリント配線板の長手方向の長さと略等しい第三の絶縁シートを第一の絶縁シートとプリント配線板との間に設け、第三の絶縁シートの短手方向に沿った両側縁に、プリント配線板の短手方向に沿った両側縁に沿って立ち上がる一対の立ち上がり片を設けたので、立ち上がり片と第一の絶縁シートの脚片との間の隙間が脚片の長手方向における両端部よりも内側に位置することでプリント配線板の長手方向に沿った両側端部が外部と近接することがなく、したがってプリント配線板の前記両側端部での絶縁性能を確保することができる。また、プリント配線板の前記両側端部にも回路部品を実装することができるので実装面積が縮小することが無く、更には、プリント配線板の前記両端部に対応する部位を埋めるようにした絶縁シートの金型を製作する必要も無いので、コストが増大するのを防ぐことができる。
【００２２】
請求項２の発明によれば、第三の絶縁シートが第一の絶縁シートに設けられた一対の突片の間に配置されるので、第三の絶縁シートの長手方向における移動を制限することができる。
【００２３】
請求項３の発明によれば、プリント配線板及び第三の絶縁シートの長手方向への移動を制限することができる。
【００２４】
請求項４の発明によれば、第一の絶縁シートと第二の絶縁シートとを互いに固定することができる。
【００２５】
請求項５の発明によれば、第一の絶縁シート及び第三の絶縁シートの少なくとも何れか一方と照明器具の器具本体とを互いに固定することができる。
【００２６】
請求項６の発明によれば、第一の絶縁シート及び第二の絶縁シートの少なくとも何れか一方と照明器具の器具本体とを互いに固定することができる。
【００２７】
請求項７の発明によれば、第一の絶縁シートと器具本体との間、及び第二の絶縁シートと器具本体との間に設けた隙間に放電灯に接続される電線と電源に接続される電線とを分離して配線することができ、各隙間の間に少なくとも何れかの絶縁シートの一部を介在させることで電線間の絶縁性を高めることができるので、高周波ノイズが電源に接続される電線に重畳し難くなり、電源に帰還する雑音端子電圧を低減することができる。
【００２８】
請求項８の発明によれば、凹部と器具本体との間に形成される複数の隙間に放電灯に接続される電線と電源に接続される電線とを分離して配線することができ、各隙間の間に少なくとも何れかの絶縁シートの一部を介在させることで電線間の絶縁性を高めることができるので、高周波ノイズが電源に接続される電線に重畳し難くなり、電源に帰還する雑音端子電圧を低減することができる。
【００２９】
請求項９の発明によれば、突部によって第一の絶縁シートと第三の絶縁シートとの間に隙間を設けることで、両絶縁シート間に電線を配線する際に電線に機械的なストレスを与えること無く配線することができる。
【００３０】
請求項１０の発明によれば、第一の絶縁シートと第三の絶縁シートとの間に形成される複数の隙間に放電灯に接続される電線と電源に接続される電線とを分離して配線することができ、各隙間の間に少なくとも何れかの絶縁シートの一部を介在させることで電線間の絶縁性を高めることができるので、高周波ノイズが電源に接続される電線に重畳し難くなり、電源に帰還する雑音端子電圧を低減することができる。
【００３１】
請求項１１の発明によれば、立ち上がり片に少なくとも端子台を除いた一部を埋める補助片を一体に形成したので、端子台と第一の絶縁シートとの間に生じる隙間から手の指や異物がプリント配線板の配置された空間に侵入するのを防止することができる。
【００３２】
請求項１２の発明によれば、請求項１乃至８の何れか１項の効果を奏する照明器具を実現することができる。
【発明を実施するための最良の形態】
【００３３】
（実施形態１）
以下、本発明の実施形態１の放電灯点灯装置について図面を用いて説明する。但し、本実施形態の基本的構成は従来例と共通であるので、共通する部位には同一の符号を付して説明を省略する。尚、以下の説明では、図２における上下を上下方向と定めるものとする。本実施形態は、図２に示すように、放電灯（図示せず）へ高周波電力を供給するインバータ回路の回路部品Ａが実装される略矩形状のプリント配線板１と、絶縁性を有する材料から成りプリント配線板１を下側から覆う第一の絶縁シート２と、絶縁性を有する材料から成りプリント配線板１を上側から覆う第二の絶縁シート３と、絶縁性を有する材料から成りプリント配線板１と第一の絶縁シート２との間に介在する第三の絶縁シート４とから成る。
【００３４】
第三の絶縁シート４は、絶縁性を有する合成樹脂成形品から成り、図１（ｂ）に示すように、その長手方向の長さがプリント配線板１の長手方向の長さＬ２と略等しく且つ第一の絶縁シート２の主板２０の長手方向の長さＬ１よりも短く形成された略矩形状の底板４０から構成される。尚、底板４０の短手方向の長さは、プリント配線板１の短手方向の長さｔ２と略等しく且つ第一の絶縁シート２の主板２０の短手方向の長さｔ１よりも短く形成されている。
【００３５】
底板４０の長手方向両端部には、図１（ａ）に示すように、プリント配線板１の短手方向に沿った一側縁に沿うように立ち上げて成る略矩形状の立片４２ａと、立片４２ａの上端部を外側に向けて折曲して成る略矩形状の折返片４２ｂとから構成される立ち上がり片４２がそれぞれ設けられている。而して、プリント配線板１の短手方向に沿った両側縁は、第三の絶縁シート４の立片４２ａによって覆われるとともに、プリント配線板１の長手方向に沿った両側縁は、第一の絶縁シート２の脚片２１によって覆われる。
【００３６】
ここで、立片４２ａと脚片２１との間、即ちプリント配線板１の長手方向に沿った両側端部には隙間が生じるが、図１（ａ）に示すように、該隙間は第一の絶縁シート２の長手方向両端部よりも内側に配置されるので、外部との絶縁距離を稼ぐことができ、したがってプリント配線板１の長手方向に沿った両側端部における絶縁性能を確保することができる。このため、プリント配線板１の長手方向に沿った両側端部においても回路部品Ａを実装することが可能となるので、実装面積が縮小するのを防ぐことができる。また、上記の隙間を埋めるような第一の絶縁シート２を製作する場合と比較して、コストの増大を防ぐことができる。
【００３７】
尚、第三の絶縁シート４の入力側端子台１１が設けられた側の端部には、図３に示すように、入力側端子台１１と脚片２１との間の隙間を埋めるようにして補助片４２ｃが立片４２ａと一体に形成されている。而して、入力側端子台１１と脚片２１との間の隙間から手の指や異物がプリント配線板１の配置された空間に侵入するのを防止することができる。
【００３８】
また、第三の絶縁シート４の底板４０の長手方向両端部に各々下方に向かって突設する一対の嵌合片（図示せず）を設けるとともに、プリント配線板１における嵌合片と対向する部位に嵌合片が嵌合する嵌合孔（図示せず）を設けることで、プリント配線板１が第三の絶縁シート４上を長手方向又は短手方向に移動するのを制限するようにしても構わない。また、底板４０の長手方向両端部においてエンボス加工によって一対の嵌合突部（図示せず）を形成し、該嵌合突部を嵌合片の代わりとしても構わない。
【００３９】
（実施形態２）
以下、本発明の実施形態２の放電灯点灯装置について図面を用いて説明する。但し、本実施形態の基本的構成は実施形態１と共通であるので、共通する部位には同一の番号を付して説明を省略する。本実施形態は、図４（ａ），（ｂ）に示すように、第三の絶縁シート４に、その長手方向に沿った両側縁からプリント配線板１の長手方向に沿った両側縁に沿って立ち上がる一対の長側片４１が設けられている。而して、長側片４１が第一の絶縁シート２の脚片２１の代わりにプリント配線板１の長手方向に沿った両側縁を覆うことで、脚片２１に切り込み等を自由に設けることが可能となっている。
【００４０】
このため、本実施形態では、第一の絶縁シート２の各脚片２１の長手方向における略中央部に、略矩形状の係止孔２３がそれぞれ貫設されるとともに、第二の絶縁シート３の各側片３１の長手方向における略中央部には、係止孔２３に挿入係止される略矢印状の係止片３２がそれぞれ設けられている。而して、係止孔２３に係止片３２を挿入係止することで、第一の絶縁シート２と第二の絶縁シート３とを互いに固定することができる。
【００４１】
（実施形態３）
以下、本発明の実施形態３について図面を用いて説明する。但し、本実施形態の基本的構成は実施形態１と共通であるので、共通する部位には同一の番号を付して説明を省略する。本実施形態は、図５に示すように、第一の絶縁シート２の主板２０の長手方向両端部に、第三の絶縁シート４の立片４２ａと対向するようにして立ち上がる一対の突片２２が設けられており、これら突片２２間の距離は第三の絶縁シート４の長手方向の長さと略同一となっている。
【００４２】
而して、一対の突片２２が第三の絶縁シート４を挟み込むことで第三の絶縁シート４の長手方向における移動を制限することができる。尚、本実施形態では突片２２は脚片２１と直交する方向に沿って立ち上げられているが、脚片２１と平行な方向に沿って立ち上げられても構わない。また、主板２０の長手方向両端部においてエンボス加工によって一対の突部（図示せず）を形成し、これら突部を突片２２の代わりとしても構わない。
【００４３】
（実施形態４）
以下、本発明の実施形態４について図面を用いて説明する。但し、本実施形態の基本的構成は実施形態１と共通であるので、共通する部位には同一の番号を付して説明を省略する。本実施形態は、図６に示すように、第一の絶縁シート２の主板２０に、長手方向に亘って複数（図示では３つ）の第一の突部２４を設けるとともに、第三の絶縁シート４の底板４０に、長手方向に亘って複数（図示では２つ）の第二の突部４３を設けている。
【００４４】
第一の突部２４及び第二の突部４３は、何れもエンボス加工によって断面略円形状に形成され、第一の突部２４は上方に向かって突設され、第二の突部４３は下方に向かって突設されている。
【００４５】
而して、これら第一の突部２４及び第二の突部４３によって第一の絶縁シート２と第三の絶縁シート４との間に隙間が生じるので、両絶縁シート２，４間に電線を配線する際に、この隙間に電線を通すことで電線に機械的なストレスを与えること無く配線することができる。尚、本実施形態では、一対の第二の突部４３をそれぞれ長手方向両端に設けられた第一の突部２４に内側で当接するように配設しているので、第三の絶縁シート４の長手方向への移動を制限することができる。
【００４６】
（実施形態５）
以下、本発明の実施形態５の照明器具について図面を用いて説明する。本実施形態は、図７（ａ）に示すように、器具本体５と、器具本体５に収納されて放電灯６が着脱自在に装着される一対のソケット７と、ソケット７を介して放電灯６に電力を供給する上記何れかの実施形態の放電灯点灯装置Ｂとを備える。尚、図７（ａ）では図示を省略しているが、本実施形態には器具本体５の開口を覆うカバーが設けられており、器具本体５に放電灯６及び放電灯点灯装置Ｂを収納した状態で該カバーを器具本体５に取り付けることで本実施形態は完成する。
【００４７】
器具本体５は、上面を開口して略直方体状に形成された金属製のケースであって、その内部空間は、短手方向の略中央を通る長手方向に沿った隔壁５１によって、一対のソケット７及び放電灯６が収納される第一の収納部５ａと、放電灯点灯装置Ｂが収納される第二の収納部５ｂとに分割されている。
【００４８】
第二の収納部５ｂには、図７（ｂ）に示すように、略矢印状の一対の固定片５０が底面から上方に向かって立設されている。また、放電灯点灯装置Ｂにおいては、第一の絶縁シート２の主板２０に固定片５０を各々挿通させるための一対の挿通孔２５が貫設されるとともに、第三の絶縁シート４の底板４０に固定片５０の上端部が各々挿入される一対の窪み部４４が設けられている。而して、放電灯点灯装置Ｂは、固定片５０を挿通孔２５に挿通させるとともに、固定片５０の上端部を窪み部４４に挿入することで器具本体５に取付固定することができる。
【００４９】
上記のように構成された本実施形態は、例えば上下方向に所定の間隔を空けて設けられて商品が陳列される複数の棚板（図示せず）を備えた陳列棚（図示せず）に用いられ、棚板の下面に取り付けることで該棚板の下側の棚板に陳列される商品に光を照射する棚下用照明器具の用途に適する。尚、本実施形態は、上記の棚下用照明器具以外の用途に用いても構わないのは言うまでもない。
【００５０】
ところで、一般的に放電灯を高周波で点灯させる放電灯点灯装置の場合、ソケットを介して放電灯に接続される放電灯側の電線には高周波電流が流れるが、この放電灯側の電線と商用電源に接続される電源側の電線とを近接して配線すると、電源側の電線に高周波のイズが重畳され、商用電源に帰還する雑音端子電圧が上昇する虞がある。特に、薄型の照明器具や上記実施形態５のような棚下用照明器具などでは、器具の構造上電線を配線するスペースが極めて少なく、放電灯側の電線と電源側の電線とが近接或いは密着して配線される可能性が高いという問題があった。そこで、上記問題を解決することのできる実施形態を以下に示す。
【００５１】
（実施形態６）
以下、本発明の実施形態６の照明器具について図面を用いて説明する。但し、本実施形態の基本的構成は実施形態５と共通であるので、共通する部位には同一の番号を付して説明を省略する。また、以下の説明では、器具本体５は上述のカバーが取り付けられた完成状態のものを示す。本実施形態は、図８に示すように、第一の絶縁シート２の主板２０に、短手方向に亘って複数（図示では２つ）の第三の突部２６を設けるとともに、第二の絶縁シート３の天板３０に、短手方向に亘って複数（図示では２つ）の第四の突部３３を設けている。
【００５２】
第三の突部２６及び第四の突部３３は、何れもエンボス加工によって断面略半円形状に形成され、第三の突部２６は下方に向かって突設され、第四の突部３３は上方に向かって突設されている。
【００５３】
而して、これら第三の突部２６及び第四の突部３３によって第一の絶縁シート２と器具本体５との間、及び第二の絶縁シート３と器具本体５との間にそれぞれ隙間が形成されるので、一方の隙間にソケット７を介して放電灯６に接続される放電灯６側の電線８ａを通し、他方の隙間に商用電源（図示せず）に接続される電源側の電線８ｂを通すことで各電線を分離して配線することができる。
【００５４】
ここで、各隙間の間には第一の絶縁シート２、第二の絶縁シート３、第三の絶縁シート４が介在するため、電線８ａ，８ｂ間の絶縁性を高めることができる。したがって、電源側の電線８ｂに高周波電圧が重畳され難くなり、商用電源へ帰還する雑音端子電圧を低減することができる。また、隙間に各電線８ａ，８ｂを通すことで各電線８ａ，８ｂに機械的なストレスを与えること無く配線することができる。更に、本実施形態では、第三の突部２６と第四の突部３３とが各々器具本体５を内側から外側に向かって押さえつける構造となっているので、放電灯点灯装置Ｂを器具本体５に取付固定することができる。
【００５５】
尚、本実施形態では、第三の突部２６及び第四の突部３３を断面略半円形状に形成しているが、上記隙間を形成できるのであれば他の形状であっても構わない。
【００５６】
（実施形態７）
以下、本発明の実施形態７の照明器具について図面を用いて説明する。但し、本実施形態の基本的構成は実施形態５と共通であるので、共通する部位には同一の番号を付して説明を省略する。また、以下の説明では、器具本体５は上述のカバーが取り付けられた完成状態のものを示す。本実施形態は、図９に示すように、第一の絶縁シート２の主板２０の短手方向における両端部に、それぞれ長手方向に沿って断面略矩形状の凹部２７を設けている。
【００５７】
而して、この２つの凹部２７によって器具本体５との間に２つの隙間が形成されるので、一方の隙間に放電灯６側の電線８ａを通し、他方の隙間に電源側の電線８ｂを通すことで各電線を分離して配線することができる。
【００５８】
ここで、各隙間の間には第一の絶縁シート２の主板２０が介在するため、電線８ａ，８ｂ間の絶縁性を高めることができる。したがって、電源側の電線８ｂに高周波電圧が重畳され難くなり、商用電源へ帰還する雑音端子電圧を低減することができる。また、隙間に各電線８ａ，８ｂを通すことで各電線８ａ，８ｂに機械的なストレスを与えること無く配線することができる。更に、本実施形態では、各電線８ａ，８ｂとプリント配線板１との間に第一の絶縁シート２及び第三の絶縁シート４が介在しているので、仮にプリント配線板１に実装された回路部品Ａから下方に突出するリード線９が第三の絶縁シート４を突き破った場合でも、リード線９が各電線８ａ，８ｂに直接触れることがなく、地絡を防止することができる。
【００５９】
尚、本実施形態では、凹部２７を断面略矩形状に形成しているが、上記隙間を形成できるのであれば他の形状であっても構わない。
【００６０】
（実施形態８）
以下、本発明の実施形態８の照明器具について図面を用いて説明する。但し、本実施形態の放電灯点灯装置Ｂを除いた基本的構成は実施形態５と共通であり、また放電灯点灯装置Ｂの基本的構成は実施形態４と共通であるので、共通する部位には同一の番号を付して説明を省略する。また、以下の説明では、器具本体５は上述のカバーが取り付けられた完成状態のものを示す。本実施形態は、実施形態４における第一の突部２４及び第二の突部４３の配置を変更したものであって、図１０に示すように、第一の絶縁シート２の主板２０に、短手方向に亘って複数（図示では２つ）の第一の突部２４を設けるとともに、第三の絶縁シート４の底板４０の短手方向における略中央に第二の突部４３を設けている。
【００６１】
而して、一方の第一の突部２４と第二の突部４３との間、及び他方の第一の突部２４と第二の突部４３との間にそれぞれ隙間が形成されるので、一方の隙間に放電灯６側の電線８ａを通し、他方の隙間に電源側の電線８ｂを通すことで各電線を分離して配線することができる。
【００６２】
ここで、各隙間の間には第三の絶縁シート４の第二の突部４３が介在するので、電線８ａ，８ｂ間の絶縁性を高めることができる。したがって、電源側の電線８ｂに高周波電圧が重畳され難くなり、商用電源へ帰還する雑音端子電圧を低減することができる。また、隙間に各電線８ａ，８ｂを通すことで各電線８ａ，８ｂに機械的なストレスを与えること無く配線することができる。
【００６３】
尚、第一の突部２４及び第二の突部４３は、何れも主板２０及び底板４０の長手方向において互いの間隔が狭い程、前記長手方向における長さ寸法が大きい程、各電線８ａ，８ｂを分離する効果が大きくなるため望ましい。また、本実施形態では、第一の突部２４及び第二の突部４３を断面略半円形状に形成しているが、上記隙間を形成できるのであれば他の形状であっても構わない。
【図面の簡単な説明】
【００６４】
【図１】本発明の実施形態１の放電灯点灯装置を示す図で、（ａ）出力側端子台が設けられた端部の斜視図で、（ｂ）はプリント配線板及び第一の絶縁シート及び第三の絶縁シートの上面図である。
【図２】同上の分解斜視図である。
【図３】同上の入力側端子台が設けられた端部を示す斜視図である。
【図４】本発明の実施形態２の放電灯点灯装置を示す図で、（ａ）は側面図で、（ｂ）は断面図である。
【図５】本発明の実施形態３の放電灯点灯装置を示す前面図である。
【図６】本発明の実施形態４の放電灯点灯装置を示す断面図である。
【図７】本発明の実施形態５の照明器具を示す図で、（ａ）は全体概略図で、（ｂ）は断面図である。
【図８】本発明の実施形態６の照明器具を示す断面図である。
【図９】本発明の実施形態７の照明器具を示す断面図である。
【図１０】本発明の実施形態８の照明器具を示す断面図である。
【図１１】従来の放電灯点灯装置を示す図で、（ａ）は前面図で、（ｂ）は分解斜視図である。
【符号の説明】
【００６５】
１  プリント配線板
２  第一の絶縁シート
２０  主板
２１  脚片
３  第二の絶縁シート
３０  天板
３１  側片
４  第三の絶縁シート
４０  底板
４１  長側片
４２  立ち上がり片
Ａ  回路部品
【図１】
2008270165.tif 000003
【図２】
2008270165.tif 000004
【図３】
2008270165.tif 000005
【図４】
2008270165.tif 000006
【図５】
2008270165.tif 000007
【図６】
2008270165.tif 000008
【図７】
2008270165.tif 000009
【図８】
2008270165.tif 000010
【図９】
2008270165.tif 000011
【図１０】
2008270165.tif 000012
【図１１】
2008270165.tif 000013